(57)【要約】【課題】適切なタイミングで画像を切り替える画像表示装置、及び画像表示方法を提供する。【解決手段】表示中の画像の種類を抽出し、前回表示された画像の種類と今回表示中の画像の種類とが異なる場合には、表示時間を予め定められた第１の規定時間に設定し、前回表示された画像の種類と今回表示中の画像の種類とが一致する場合には、前記表示時間を前記第１の規定時間より短い第２の規定時間に設定し、少なくとも設定された前記表示時間だけ画像を表示し、表示する画像を次の画像に切り替える。【選択図】図３
2007174278.tif 000002
【特許請求の範囲】
【請求項１】
画像を表示する画像表示手段と、
前記画像表示手段に表示中の画像の種類を抽出する抽出手段と、
前回表示された画像の種類と今回表示中の画像の種類とが異なる場合には、表示時間を予め定められた第１の規定時間に設定し、前回表示された画像の種類と今回表示中の画像の種類とが一致する場合には、前記表示時間を前記第１の規定時間より短い第２の規定時間に設定する表示時間設定手段と、
少なくとも前記表示時間設定手段により設定された前記表示時間だけ画像を表示した後に、表示する画像を次の画像に切り替える切り替え手段と、
を有する画像表示装置。
【請求項２】
画像を表示する画像表示手段と、
前記画像表示手段に表示中の画像の種類を抽出する抽出手段と、
前回表示された画像の種類と今回表示中の画像の種類とが異なる場合には、表示時間を予め定められた第１の規定時間に設定し、前回表示された画像の種類と今回表示中の画像の種類とが一致し、かつ表示中の画像の種類が予め定められた種類と一致する場合には、前記表示時間を前記第１の規定時間に設定し、前回表示された画像の種類と今回表示中の画像の種類とが一致し、かつ表示中の画像の種類が予め定められた種類と異なる場合には、前記表示時間を前記第１の規定時間より短い第２の規定時間に設定する表示時間設定手段と、
少なくとも前記表示時間設定手段により設定された前記表示時間だけ画像を表示した後に、表示する画像を次の画像に切り替える切り替え手段と、
を有する画像表示装置。
【請求項３】
画像を表示する画像表示手段と、
前記画像表示手段に表示中の画像に含まれる人物画像の人物を特定する特定情報を抽出する特定情報抽出手段と、
前回表示された画像に含まれる人物画像の特定情報と、今回表示中の画像に含まれる人物画像の特定情報とが異なる場合には、表示時間を予め定められた第１の規定時間に設定し、前回表示された画像に含まれる人物画像の特定情報と、今回表示中の画像に含まれる人物画像の特定情報とが一致する場合には、前記表示時間を前記第１の規定時間より短い第２の規定時間に設定する表示時間設定手段と、
少なくとも前記表示時間設定手段により設定された前記表示時間だけ表示中の画像を表示した後に、表示する画像を次の画像に切り替える切り替え手段と、
を有する画像表示装置。
【請求項４】
前記切り替え手段は、前記表示時間経過したときに表示する画像を次の画像に切り替える請求項１から請求項３のいずれか１項に記載の画像表示装置。
【請求項５】
音楽を再生する音楽再生手段を更に有し、
前記切り替え手段は、
再生中の前記音楽の音声信号に関して予め定められた切り替え条件を満たした場合に、表示する画像を次の画像に切り替える請求項１から請求項３に記載の画像表示装置。
【請求項６】
前記切り替え条件は、
前記音声信号が示す音声レベルが極大となったときである請求項５に記載の画像表示装置。
【請求項７】
画像を表示する画像表示段階と、
前記画像表示段階で表示中の画像の種類を抽出する抽出段階と、
前回表示された画像の種類と今回表示中の画像の種類とが異なる場合には、表示時間を予め定められた第１の規定時間に設定し、前回表示された画像の種類と今回表示中の画像の種類とが一致する場合には、前記表示時間を前記第１の規定時間より短い第２の規定時間に設定する表示時間設定段階と、
少なくとも前記表示時間設定段階により設定された前記表示時間だけ画像を表示した後に、表示する画像を次の画像に切り替える切り替え段階と、
を有する画像表示方法。
【請求項８】
画像を表示する画像表示段階と、
前記画像表示段階で表示中の画像の種類を抽出する抽出段階と、
前回表示された画像の種類と今回表示中の画像の種類とが異なる場合には、表示時間を予め定められた第１の規定時間に設定し、前回表示された画像の種類と今回表示中の画像の種類とが一致し、かつ表示中の画像の種類が予め定められた種類と一致する場合には、前記表示時間を前記第１の規定時間に設定し、前回表示された画像の種類と今回表示中の画像の種類とが一致し、かつ表示中の画像の種類が予め定められた種類と異なる場合には、前記表示時間を前記第１の規定時間より短い第２の規定時間に設定する表示時間設定段階と、
少なくとも前記表示時間設定段階により設定された前記表示時間だけ画像を表示した後に、表示する画像を次の画像に切り替える切り替え段階と、
を有する画像表示方法。
【請求項９】
画像を表示する画像表示段階と、
前記画像表示段階で表示中の画像に含まれる人物画像の人物を特定する特定情報を抽出する特定情報抽出段階と、
前回表示された画像に含まれる人物画像の特定情報と、今回表示中の画像に含まれる人物画像の特定情報とが異なる場合には、表示時間を予め定められた第１の規定時間に設定し、前回表示された画像に含まれる人物画像の特定情報と、今回表示中の画像に含まれる人物画像の特定情報とが一致する場合には、前記表示時間を前記第１の規定時間より短い第２の規定時間に設定する表示時間設定段階と、
少なくとも前記表示時間設定段階により設定された前記表示時間だけ表示中の画像を表示した後に、表示する画像を次の画像に切り替える切り替え段階と、
を有する画像表示方法。
【請求項１０】
前記切り替え段階は、前記表示時間経過したときに表示する画像を次の画像に切り替える請求項７から請求項９のいずれか１項に記載の画像表示方法。
【請求項１１】
音楽を再生する音楽再生段階を更に有し、
前記切り替え段階は、
再生中の前記音楽の音声信号に関して予め定められた切り替え条件を満たした場合に、表示する画像を次の画像に切り替える請求項７から請求項９に記載の画像表示方法。
【請求項１２】
前記切り替え条件は、
前記音声信号が示す音声レベルが極大となったときである請求項１１に記載の画像表示方法。
【発明の詳細な説明】
【技術分野】
【０００１】
本発明は、複数の画像をスライドショー形式で表示する画像表示装置、及び画像表示方法に関する。
【背景技術】
【０００２】
近年、デジタルカメラやスキャナの普及により、画像をデジタル化して保存することが一般的になっている。それに伴い、画像の編集や閲覧する機能が、パソコンに限らずデジタルカメラに搭載されることが多くなっている。
【０００３】
画像を閲覧する機能として、スライドショー機能がある。スライドショー機能は、複数の画像を順番に表示させる機能で、キーを押すごとに画像を切り替える方式と、一定時間経過後に自動的に次の画像を表示する方式の２種類が一般的である。
【０００４】
自動的に画像を切り替える方式において、切り替えるタイミングを一定時間経過後ではなく、音楽を用いたものが特許文献１に開示されている。
【０００５】
特許文献１に開示されたディスク装置は、音楽情報が記録された音楽ファイルと一連の静止画像情報が記録された画像ファイルとが混在した光ディスクの情報を再生する際に、音楽ファイルの再生を開始してから音声信号の音声レベルが基準レベル幅を越えたとき表示装置に表示させるバックグラウンドとしての静止画像を切り換えるものである。
【特許文献１】特開２００４−１５８１０５号公報
【発明の開示】
【発明が解決しようとする課題】
【０００６】
しかしながら、音楽にはテンポが速いものや遅いものがあり、それに伴い音声レベルが基準レベル幅を越えるタイミングは全く異なる。例えば、速いテンポの音楽のドラムの音声レベルが連続して基準レベル幅を外れることもあり得る。この場合、そのタイミングで表示された画像は見る間もなく切り替わってしまうという不具合が生じる。逆にゆっくりした音楽の場合は画像が全く切り替わらないということもあり得る。
【０００７】
また、上述した従来技術のように一定時間経過後に切り替える場合も、同じような画像が連続して表示されると、見る側のユーザが飽きてくる場合がある。
【０００８】
このように従来のスライドショー機能における画像を切り替えるタイミングは、適切とは言い難いものであった。
【０００９】
本発明は上記問題点に鑑み、適切なタイミングで画像を切り替える画像表示装置、及び画像表示方法を提供することを目的とする。
【課題を解決するための手段】
【００１０】
上記目的を達成するために請求項１の画像表示装置は、画像を表示する画像表示手段と、前記画像表示手段に表示中の画像の種類を抽出する抽出手段と、前回表示された画像の種類と今回表示中の画像の種類とが異なる場合には、表示時間を予め定められた第１の規定時間に設定し、前回表示された画像の種類と今回表示中の画像の種類とが一致する場合には、前記表示時間を前記第１の規定時間より短い第２の規定時間に設定する表示時間設定手段と、少なくとも前記表示時間設定手段により設定された前記表示時間だけ画像を表示した後に、表示する画像を次の画像に切り替える切り替え手段と、を有する。
【００１１】
ここで、請求項１に記載の画像表示装置では、表示中の画像の種類を抽出し、前回表示された画像の種類と今回表示中の画像の種類とが異なる場合には、表示時間を予め定められた第１の規定時間に設定し、前回表示された画像の種類と今回表示中の画像の種類とが一致する場合には、前記表示時間を前記第１の規定時間より短い第２の規定時間に設定し、少なくとも設定された前記表示時間だけ画像を表示した後に、表示する画像を次の画像に切り替えるので、似たような画像を連続して長い時間表示することのない適切なタイミングで画像を切り替えることができる。
【００１２】
また、請求項２の画像表示装置は、画像を表示する画像表示手段と、前記画像表示手段に表示中の画像の種類を抽出する抽出手段と、前回表示された画像の種類と今回表示中の画像の種類とが異なる場合には、表示時間を予め定められた第１の規定時間に設定し、前回表示された画像の種類と今回表示中の画像の種類とが一致し、かつ表示中の画像の種類が予め定められた種類と一致する場合には、前記表示時間を前記第１の規定時間に設定し、前回表示された画像の種類と今回表示中の画像の種類とが一致し、かつ表示中の画像の種類が予め定められた種類と異なる場合には、前記表示時間を前記第１の規定時間より短い第２の規定時間に設定する表示時間設定手段と、少なくとも前記表示時間設定手段により設定された前記表示時間だけ画像を表示した後に、表示する画像を次の画像に切り替える切り替え手段と、を有する。
【００１３】
ここで、請求項２に記載の画像表示装置では、表示中の画像の種類を抽出し、前回表示された画像の種類と今回表示中の画像の種類とが異なる場合には、表示時間を予め定められた第１の規定時間に設定し、前回表示された画像の種類と今回表示中の画像の種類とが一致し、かつ表示中の画像の種類が予め定められた種類と一致する場合には、前記表示時間を前記第１の規定時間に設定し、前回表示された画像の種類と今回表示中の画像の種類とが一致し、かつ表示中の画像の種類が予め定められた種類と異なる場合には、前記表示時間を前記第１の規定時間より短い第２の規定時間に設定し、少なくとも設定された前記表示時間だけ画像を表示した後に、表示する画像を次の画像に切り替えるので、例えばユーザの好みの画像など予め定められた種類の画像は規定時間だけ表示されるので、好みの画像を長く表示する適切なタイミングで画像を切り替えることができる。
【００１４】
また、請求項３の画像表示装置は、画像を表示する画像表示手段と、前記画像表示手段に表示中の画像に含まれる人物画像の特定情報を抽出する特定情報抽出手段と、前回表示された画像に含まれる人物画像の人物を特定する特定情報と、今回表示中の画像に含まれる人物画像の人物を特定する特定情報とが異なる場合には、表示時間を予め定められた第１の規定時間に設定し、前回表示された画像に含まれる人物画像の特定情報と、今回表示中の画像に含まれる人物画像の特定情報とが一致する場合には、前記表示時間を前記第１の規定時間より短い第２の規定時間に設定する表示時間設定手段と、少なくとも前記表示時間設定手段により設定された前記表示時間だけ表示中の画像を表示した後に、表示する画像を次の画像に切り替える切り替え手段と、を有する。
【００１５】
ここで、請求項３に記載の画像表示装置では、画像に含まれる人物画像の特定情報を抽出し、前記画像表示手段に前回表示された画像に含まれる人物画像の人物を特定する特定情報と、今回表示中の画像に含まれる人物画像の人物を特定する特定情報とが異なる場合には、表示時間を予め定められた第１の規定時間に設定し、前回表示された画像に含まれる人物画像の特定情報と、今回表示中の画像に含まれる人物画像の特定情報とが一致する場合には、前記表示時間を前記第１の規定時間より短い第２の規定時間に設定し、設定された前記表示時間だけ表示中の画像を表示した後に、表示する画像を次の画像に切り替えるので、同一人物の画像が連続した場合に、表示中の画像は短い表示時間しか表示されなくなり、同一人物を連続して長い時間表示することのない適切なタイミングで画像を切り替えることができる。
【００１６】
また、請求項４の画像表示装置は、前記切り替え手段は、前記表示時間経過したときに表示する画像を次の画像に切り替える。
【００１７】
ここで、請求項４に記載の画像表示装置では、表示時間経過したときに表示する画像を次の画像に切り替えるので適切なタイミングで画像を切り替えることができる。
【００１８】
また、請求項５の画像表示装置は、音楽を再生する音楽再生手段を更に有し、前記切り替え手段は、再生中の前記音楽の音声信号に関して予め定められた切り替え条件を満たした場合に、表示する画像を次の画像に切り替える。
【００１９】
ここで、請求項５に記載の画像表示装置では、音楽を用いた場合でも、少なくとも設定された表示時間の間は画像を表示することができる。
【００２０】
また、請求項６の画像表示装置は、前記切り替え条件は、前記音声信号が示す音声レベルが極大となったときである。
【００２１】
ここで、請求項６に記載の画像表示装置では、音声信号が示す音声レベルが極大となったときに音楽に合った適切なタイミングで画像を切り替えることができる。
【００２２】
ここで、請求項７の画像表示方法は、画像を表示する画像表示段階と、前記画像表示段階で表示中の画像の種類を抽出する抽出段階と、前回表示された画像の種類と今回表示中の画像の種類とが異なる場合には、表示時間を予め定められた第１の規定時間に設定し、前回表示された画像の種類と今回表示中の画像の種類とが一致する場合には、前記表示時間を前記第１の規定時間より短い第２の規定時間に設定する表示時間設定段階と、少なくとも前記表示時間設定段階により設定された前記表示時間だけ画像を表示した後に、表示する画像を次の画像に切り替える切り替え段階と、を有する。
【００２３】
ここで、請求項７に記載の画像表示方法も、請求項１に記載の発明と同様の効果を得ることができる。
【００２４】
また、請求項８の発明は、画像を表示する画像表示段階と、前記画像表示段階で表示中の画像の種類を抽出する抽出段階と、前回表示された画像の種類と今回表示中の画像の種類とが異なる場合には、表示時間を予め定められた第１の規定時間に設定し、前回表示された画像の種類と今回表示中の画像の種類とが一致し、かつ表示中の画像の種類が予め定められた種類と一致する場合には、前記表示時間を前記第１の規定時間に設定し、前回表示された画像の種類と今回表示中の画像の種類とが一致し、かつ表示中の画像の種類が予め定められた種類と異なる場合には、前記表示時間を前記第１の規定時間より短い第２の規定時間に設定する表示時間設定段階と、少なくとも前記表示時間設定段階により設定された前記表示時間だけ画像を表示した後に、表示する画像を次の画像に切り替える切り替え段階と、を有する。
【００２５】
ここで、請求項８に記載の画像表示方法も、請求項２に記載の発明と同様の効果を得ることができる。
【００２６】
また、請求項９の画像表示方法は、画像を表示する画像表示段階と、前記画像表示段階で表示中の画像に含まれる人物画像の人物を特定する特定情報を抽出する特定情報抽出段階と、前記画像表示段階に前回表示された画像に含まれる人物画像の特定情報と、今回表示中の画像に含まれる人物画像の特定情報とが異なる場合には、表示時間を予め定められた第１の規定時間に設定し、前回表示された画像に含まれる人物画像の特定情報と、今回表示中の画像に含まれる人物画像の特定情報とが一致する場合には、前記表示時間を前記第１の規定時間より短い第２の規定時間に設定する表示時間設定段階と、少なくとも前記表示時間設定段階により設定された前記表示時間だけ表示中の画像を表示した後に、表示する画像を次の画像に切り替える切り替え段階と、を有する。
【００２７】
ここで、請求項９に記載の画像表示方法も、請求項３に記載の発明と同様の効果を得ることができる。
【００２８】
また、請求項１０の画像表示方法は、前記表示時間経過したときに表示する画像を次の画像に切り替える。
【００２９】
ここで、請求項１０に記載の画像表示方法も、請求項４に記載の発明と同様の効果を得ることができる。
【００３０】
請求項１１の画像表示方法は、音楽を再生する音楽再生段階を更に有し、前記切り替え段階は、再生中の前記音楽の音声信号に関して予め定められた切り替え条件を満たした場合に、表示する画像を次の画像に切り替える。
【００３１】
ここで、請求項１１に記載の画像表示方法も、請求項５に記載の発明と同様の効果を得ることができる。
【００３２】
請求項１２の画像表示方法は、前記切り替え条件は、前記音声信号が示す音声レベルが極大となったときである。
【００３３】
ここで、請求項１２に記載の画像表示方法も、請求項６に記載の発明と同様の効果を得ることができる。
【発明の効果】
【００３４】
本発明によれば、適切なタイミングで画像を切り替える画像表示装置、及び画像表示方法を提供することができるという効果が得られる。
【発明を実施するための最良の形態】
【００３５】
以下、図面を参照して、２つの実施の形態について詳細に説明する。これら２つの実施の形態の違いは音楽を用いるかどうかの違いである。まず最初に、音楽を用いない実施の形態について説明するが、いずれの実施の形態においても画像表示装置をデジタルカメラとして説明する。
［第１の実施の形態］
まず、図１を参照して、第１の実施の形態に係るデジタルカメラ１０の外観上の構成を説明する。
【００３６】
デジタルカメラ１０の正面には、被写体像を結像させるためのレンズ２１と、撮影時に必要に応じて被写体を照明する光を発するストロボ４４と、撮影する被写体の構図を決定するために用いられるファインダ２０とが備えられている。また、デジタルカメラ１０の上面には、撮影を実行する際に押圧操作されるレリーズボタン（所謂シャッター）５６Ａと、電源スイッチ５６Ｂとが備えられている。
【００３７】
なお、本実施の形態に係るデジタルカメラ１０のレリーズボタン５６Ａは、中間位置まで押下される状態（以下、「半押し状態」という。）と、当該中間位置を超えた最終押下位置まで押下される状態（以下、「全押し状態」という。）と、の２段階の押圧操作が検出可能に構成されている。
【００３８】
そして、デジタルカメラ１０では、レリーズボタン５６Ａを半押し状態にすることによりＡＥ（Automatic Exposure、自動露出）機能が働いて露出状態（シャッタースピード、絞りの状態）が設定された後、ＡＦ（Auto Focus、自動合焦）機能が働いて合焦制御され、その後、引き続き全押し状態にすると露光（撮影）が行われる。
【００３９】
一方、デジタルカメラ１０の背面には、前述のファインダ２０の接眼部と、撮影された被写体像やメニュー画面等を表示するための液晶ディスプレイ（以下、「ＬＣＤ」という。）３８と、撮影を行うモードである撮影モード及び被写体像をＬＣＤ３８に再生するモードである再生モードの何れかのモードに設定する際にスライド操作されるモード切替スイッチ５６Ｃとが備えられている。このうちＬＣＤ３８は、画像表示手段に対応する。
【００４０】
また、デジタルカメラ１０の背面には、十字カーソルボタン５６Ｄと、撮影時にストロボ４４を強制的に発光させるモードである強制発光モードを設定する際に押圧操作される強制発光スイッチ５６Ｅとが更に設けられている。
【００４１】
なお、十字カーソルボタン５６Ｄは、ＬＣＤ３８の表示領域における上・下・左・右の４方向の移動方向を示す４つの矢印キー及び当該４つの矢印キーの中央部に位置された決定キーの合計５つのキーとで構成されている。
【００４２】
次に、図２を参照して、第１の実施の形態に係るデジタルカメラ１０の電気系の構成を説明する。
【００４３】
デジタルカメラ１０は、前述のレンズ２１を含んで構成された光学ユニット２２と、レンズ２１の光軸後方に配設された電荷結合素子（以下、「ＣＣＤ」という。）２４と、入力されたアナログ信号に対して各種のアナログ信号処理を行うアナログ信号処理部２６とで構成されている。なお、上記ＣＣＤに代えてＣＭＯＳセンサを用いるようにしても良い。
【００４４】
また、デジタルカメラ１０は、入力されたアナログ信号をデジタルデータに変換するアナログ／デジタル変換器（以下、「ＡＤＣ」という。）２８と、入力されたデジタルデータに対して各種のデジタル信号処理を行うデジタル信号処理部３０とで構成されている。
【００４５】
なお、デジタル信号処理部３０は、所定容量のラインバッファを内蔵し、入力されたデジタルデータを後述するメモリ４８の所定領域に直接記憶させる制御も行う。
【００４６】
ＣＣＤ２４の出力端はアナログ信号処理部２６の入力端に、アナログ信号処理部２６の出力端はＡＤＣ２８の入力端に、ＡＤＣ２８の出力端はデジタル信号処理部３０の入力端に各々接続されている。従って、ＣＣＤ２４から出力された被写体像を示すアナログ信号はアナログ信号処理部２６によって所定のアナログ信号処理が施され、ＡＤＣ２８によってデジタル画像データに変換された後にデジタル信号処理部３０に入力される。
【００４７】
一方、デジタルカメラ１０は、被写体像やメニュー画面等をＬＣＤ３８に表示させるための信号を生成してＬＣＤ３８に供給するＬＣＤインタフェース３６と、デジタルカメラ１０全体の動作を司るＣＰＵ（中央処理装置）４０と、撮影により得られたデジタル画像データ等を記憶するメモリ４８と、メモリ４８に対するアクセスの制御を行うメモリインタフェース４６と、を含んで構成されている。
【００４８】
更に、デジタルカメラ１０は、可搬型のメモリカード５２をデジタルカメラ１０でアクセス可能とするための外部メモリインタフェース５０と、デジタル画像データに対する圧縮処理及び伸張処理を行う圧縮・伸張処理回路５４とで構成されている。
【００４９】
なお、本実施の形態のデジタルカメラ１０では、メモリ４８としてＶＲＡＭ（Video RAM）とフラッシュメモリが用いられ、メモリカード５２としてスマートメディア（Smart Media(登録商標)）が用いられている。そして、フラッシュメモリにはデジタルカメラ１０を動作させるためのプログラムが記録されている。
【００５０】
デジタル信号処理部３０、ＬＣＤインタフェース３６、ＣＰＵ４０、メモリインタフェース４６、外部メモリインタフェース５０、及び圧縮・伸張処理回路５４はシステムバスＢＵＳを介して相互に接続されている。従って、ＣＰＵ４０は、デジタル信号処理部３０及び圧縮・伸張処理回路５４の作動の制御、ＬＣＤ３８に対するＬＣＤインタフェース３６を介した各種情報の表示、メモリ４８及びメモリカード５２へのメモリインタフェース４６及び外部メモリインタフェース５０を介したアクセスを各々行うことができる。
【００５１】
一方、デジタルカメラ１０には、主としてＣＣＤ２４を駆動させるためのタイミング信号を生成してＣＣＤ２４に供給するタイミングジェネレータ３２が備えられており、ＣＣＤ２４の駆動はＣＰＵ４０によりタイミングジェネレータ３２を介して制御される。
【００５２】
更に、デジタルカメラ１０にはモータ駆動部３４が備えられており、光学ユニット２２に備えられた図示しない焦点調整モータ、ズームモータ及び絞り駆動モータの駆動もＣＰＵ４０によりモータ駆動部３４を介して制御される。
【００５３】
すなわち、本実施の形態に係るレンズ２１は複数枚のレンズを有し、焦点距離の変更（変倍）が可能なズームレンズとして構成されており、図示しないレンズ駆動機構を備えている。このレンズ駆動機構に上記焦点調整モータ、ズームモータ及び絞り駆動モータは含まれるものであり、これらのモータは各々ＣＰＵ４０の制御によりモータ駆動部３４から供給された駆動信号によって駆動される。
【００５４】
更に、前述のレリーズボタン５６Ａ、電源スイッチ５６Ｂ、モード切替スイッチ５６Ｃ、十字カーソルボタン５６Ｄ、及び強制発光スイッチ５６Ｅ（同図では、「操作部５６」と総称。）はＣＰＵ４０に接続されており、ＣＰＵ４０は、これらの操作部５６に対する操作状態を常時把握できる。
【００５５】
また、デジタルカメラ１０には、ストロボ４４とＣＰＵ４０との間に介在されると共に、ＣＰＵ４０の制御によりストロボ４４を発光させるための電力を充電する充電部４２が備えられている。更に、ストロボ４４はＣＰＵ４０にも接続されており、ストロボ４４の発光はＣＰＵ４０によって制御される。
【００５６】
次に、本実施の形態に係るデジタルカメラ１０の撮影時における全体的な動作について簡単に説明する。
【００５７】
まず、ＣＣＤ２４は、光学ユニット２２を介した撮像を行い、被写体像を示すＲ（赤）、Ｇ（緑）、Ｂ（青）毎のアナログ信号をアナログ信号処理部２６に順次出力する。アナログ信号処理部２６は、ＣＣＤ２４から入力されたアナログ信号に対して相関二重サンプリング処理等のアナログ信号処理を施した後にＡＤＣ２８に順次出力する。
【００５８】
ＡＤＣ２８は、アナログ信号処理部２６から入力されたＲ、Ｇ、Ｂ毎のアナログ信号を各々１２ビットのＲ、Ｇ、Ｂの信号（デジタル画像データ）に変換してデジタル信号処理部３０に順次出力する。デジタル信号処理部３０は、内蔵しているラインバッファにＡＤＣ２８から順次入力されるデジタル画像データを蓄積して一旦メモリ４８の所定領域に直接格納する。
【００５９】
メモリ４８の所定領域に格納されたデジタル画像データは、ＣＰＵ４０による制御に応じてデジタル信号処理部３０により読み出され、所定の物理量に応じたデジタルゲインをかけることでホワイトバランス調整を行なうと共に、ガンマ処理及びシャープネス処理を行なって８ビットのデジタル画像データを生成する。
【００６０】
そして、デジタル信号処理部３０は、生成した８ビットのデジタル画像データに対しＹＣ信号処理を施して輝度信号Ｙとクロマ信号Ｃｒ、Ｃｂ（以下、「ＹＣ信号」という。）を生成し、ＹＣ信号をメモリ４８の上記所定領域とは異なる領域に格納する。
【００６１】
なお、ＬＣＤ３８は、ＣＣＤ２４による連続的な撮像によって得られた動画像（スルー画像）を表示してファインダとして使用することができるものとして構成されており、ＬＣＤ３８をファインダとして使用する場合には、生成したＹＣ信号を、ＬＣＤインタフェース３６を介して順次ＬＣＤ３８に出力する。これによってＬＣＤ３８にスルー画像が表示されることになる。
【００６２】
ここで、レリーズボタン５６Ａがユーザによって半押し状態とされた場合、前述のようにＡＥ機能が働いて露出状態が設定された後、ＡＦ機能が働いて合焦制御され、その後、引き続き全押し状態とされた場合、この時点でメモリ４８に格納されているＹＣ信号を、圧縮・伸張処理回路５４によって所定の圧縮形式（本実施の形態では、ＪＰＥＧ形式）で圧縮した後に外部メモリインタフェース５０を介してメモリカード５２に記録する。
【００６３】
以上説明した構成で実施される処理について、フローチャートを用いて説明する。まず、図３に示されるフローチャートを用いて第１の実施の形態における一連の処理について説明する。
【００６４】
ステップＳ１０１は、スライドショーの開始待ち処理である。この状態で、例えばユーザにより十字カーソルボタン５６Ｄ（図１参照）などからスライドショーの開始が要求されると、最初の画像を表示するためにステップＳ１０２で、画像を規定時間ａだけ表示し、次の画像を表示する。この規定時間ａは、第１の規定時間に対応する。規定時間ａは、例えば１０秒など予め定められた時間であり、ユーザにより変更可能な時間である。また後述する規定時間ｂは、第２の規定時間に対応し、本実施の形態において、常に規定時間ａより短い値である。
【００６５】
次のステップＳ１０３で表示中の画像の種類を抽出する種類抽出処理が行われる。このステップＳ１０３は、抽出手段に対応する。
【００６６】
次のステップＳ１０４で表示時間設定処理が行われる。この表示時間設定処理は、前回表示された画像の種類と、表示中の画像の種類とを比較し、その比較結果に基づき表示中の画像を表示する表示時間Ｔを設定する。このステップＳ１０４は、表示時間設定手段に対応する。
【００６７】
ステップＳ１０５で、表示時間Ｔの計測が開始される。なお、ここでの計測時間は、画像を表示する処理や、表示時間設定処理に要する時間を考慮して、Ｔより短くしても良い。
【００６８】
ステップＳ１０６は、表示時間Ｔの経過待ちである。表示時間Ｔが経過すると、ステップＳ１０７で、スライドショーが終了かどうか判断される。このスライドショーが終了かどうかは、全ての画像を表示し終えたかどうかで判断し、全ての画像を表示し終えた場合にスライドショーの終了と判断する。なお、この判断に限らず、例えばユーザの終了指示によってスライドショー終了と判断するようにしても良い。
【００６９】
ステップＳ１０７で、スライドショーが終了ではないと判断されると、切り替え手段に対応するステップＳ１０８で、表示する画像を切り替える。
【００７０】
以上が第１の実施の形態における一連の処理である。次に、上記ステップＳ１０３に対応する処理の詳細と、ステップＳ１０４に対応する３種類の処理の詳細について説明する。
【００７１】
図４に示されるフローチャートは、ステップＳ１０３に対応する種類抽出処理の詳細を示すフローチャートである。
【００７２】
ステップＳ２０１で、表示中の画像の特徴及び情報の少なくとも一方が抽出される。この抽出処理は、まず最初に表示中の画像に対応するデータがＥＸＩＦ形式かどうか判断し、ＥＸＩＦ形式の場合には、そのベンダ用領域に予め記録された画像の種類を示す情報を抽出する処理である。
【００７３】
ＥＸＩＦ形式ではない場合には、例えばパターンマッチング方式を用いて画像の特徴を抽出することで、画像の種類を示す情報を抽出する。なお、この処理で抽出される画像の種類として、例えば、人物画像、動物画像、森林画像、海画像、山岳画像、夕景画像、夜景画像、または都会画像などが挙げられる。
【００７４】
このようにして抽出された種類は、ステップＳ２０２で表示中の画像と関連づけて登録される。図５は、登録されるデータのデータ構造を示す図である。このデータ構造は、順番と、画像ＩＤと、種類と、特徴パラメータとを含む構造となっている。
【００７５】
このうち、順番は、スライドショーにおいて画像が表示される順番である。画像ＩＤは、表示する個々の画像を特定するためのＩＤである。種類は、上述した種類である。特徴パラメータは、人物画像における人物を特定するための特徴を示すパラメータであり特定情報に対応する。
【００７６】
このようなデータ構造を有する登録データベースは、スライドショー実行中に生成されるもので、メモリ４８（図２参照）のうちのフラッシュメモリに余裕があれば、上記登録データベースを保存するようにしても良い。
【００７７】
以上の処理により、表示中の画像の種類が抽出される。次に、上述したステップＳ１０４（図３参照）の表示時間設定処理に対応する３種類の処理の詳細について説明する。
【００７８】
図６に示されるフローチャートは、前回表示した画像の種類と表示中の画像の種類とが異なると、表示時間を予め定められた規定時間ａに設定し、前回表示した画像の種類と表示中の画像の種類とが一致すると、表示時間を規定時間ａより短い規定時間ｂに設定する処理を示している。
【００７９】
ステップＳ３０１で、表示中の画像の種類が前回表示した画像の種類と同じかどうか判断される。種類が一致する場合、ステップＳ３０２で画像表示時間Ｔに規定時間ａを設定する。種類が異なる場合、ステップＳ３０３で画像表示時間Ｔに規定時間ａより短い規定時間ｂを設定する。
【００８０】
以上の処理により、同じ種類の画像が連続した場合に、表示中の画像は短い規定時間ｂしか表示されなくなるので、似たような画像を連続して長い時間表示することのない適切なタイミングで画像を切り替えることができる。
【００８１】
次に２つ目の処理を図７のフローチャートを用いて説明する。図７に示されるフローチャートは、前回表示された画像に含まれる人物画像の特定情報と、今回表示中の画像に含まれる人物画像の特定情報とが異なる場合には、表示時間を予め規定時間ａに設定し、前回表示された画像に含まれる人物画像の特定情報と、今回表示中の画像に含まれる人物画像の特定情報とが一致する場合には、表示時間を規定時間ａより短い規定時間ｂに設定する処理を示している。
【００８２】
ステップＳ４０１で、表示中の画像の種類が前回表示した画像の種類と同じかどうか判断される。種類が異なる場合、ステップＳ４０２で、表示時間Ｔに規定時間ａを設定する。種類が一致する場合、ステップＳ４０３で、表示中の画像の種類が人物画像かどうか判断される。表示中の画像の種類が人物画像ではない場合、ステップＳ４０６で、表示時間Ｔに規定時間ｂを設定する。
【００８３】
ステップＳ４０３で表示中の画像の種類が人物画像と判断されると、ステップＳ４０４で、人物画像の特定情報を抽出し、その特定情報は上述したデータベース（図５参照）に特徴パラメータとして登録される。この特徴パラメータは、顔部品の特徴点、部品配置、輪郭、立体形状等を示す情報か、あるいはＥＸＩＦ形式のベンダ領域に予め記載された人物を示す人物名であっても良い。
【００８４】
ステップＳ４０５で、前回表示された人物と、表示中の人物とが、上記特徴パラメータを用いて同一人物かどうか判断される。同一人物の場合、ステップＳ４０６で、表示時間Ｔに規定時間ｂを設定する。異なる人物の場合、ステップＳ４０２で、表示時間Ｔに規定時間ａを設定する。
【００８５】
以上の処理により、同一人物の画像が連続した場合に、表示中の画像は短い規定時間ｂしか表示されなくなるので、同一人物を連続して長い時間表示することのない適切なタイミングで画像を切り替えることができる。
【００８６】
なお、人物を含む画像として、多人数が写されている画像もあるが、この場合は異なる人物と判断するようにしても良い。
【００８７】
次に３つ目の処理を図８のフローチャートを用いて説明する。図８に示されるフローチャートは、前回表示した画像の種類と表示中の画像の種類とが一致する場合でも、その種類が「予め定められた種類」と一致する場合に、表示時間Ｔを規定時間ａに設定する処理を示している。
【００８８】
上記「予め定められた種類」として、例えばユーザにより予め選択された好みの画像の種類が挙げられる。あるいは、スライドショーで表示される全ての画像の種類を予め抽出しておき、その抽出された種類の中で最も多い種類を「予め定められた種類」としても良い。これは、種類が多いほど、その種類の画像がユーザの好みである可能性が高いためである。なお、「予め定められた種類」は、図８に示されるフローチャートにおいて、選択種類と表現する。
【００８９】
ステップＳ５０１で前回表示した画像の種類と同じかどうか判断される。種類が異なる場合、ステップＳ５０２で、表示時間Ｔに規定時間ａを設定する。種類が一致する場合、ステップＳ５０３で、表示中の画像の種類が選択種類かどうか判断される。選択種類ではない場合、ステップＳ５０４で、表示時間Ｔに規定時間ｂを設定する。
【００９０】
以上の処理により、前回表示した画像の種類と表示中の画像の種類とが一致する場合でも、ユーザの好みの画像など予め定められた種類の画像は規定時間ａだけ表示されるので、好みの画像を長く表示する適切なタイミングで画像を切り替えることができる。
［第２の実施の形態］
第２の実施の形態について説明する。第２の実施の形態は、上述したように音楽を用いる実施の形態である。具体的には、設定された表示時間だけ表示中の画像を表示し、更に再生中の音楽の音声信号に関して予め定められた切り替え条件を満たした場合に、表示する画像を次の画像に切り替えるというものである。
【００９１】
音楽を再生するため、第２の実施の形態に係るデジタルカメラの外観上の構成は、第１の形態に係るデジタルカメラの外観上の構成（図１参照）に、スピーカが設けられる。また、デジタルカメラの電気系の構成は、第１の実施の形態で説明した構成（図２参照）に加え、図９に示されるように、音声出力インタフェース６０とスピーカ５８とを含む。
【００９２】
また、音楽を再生するための音楽データはフラッシュメモリあるいはメモリカードに記録されている。さらに第２の実施の形態におけるデジタルカメラ１０は、音楽データをデコードする信号処理プログラムも有する。この信号処理プログラムにより、音声信号が示す音声レベルを検知することができる。
【００９３】
以上の構成により、音声出力インタフェース６０は、ＣＰＵ４０によりデコードされた音楽データをＤ／Ａ変換し、スピーカに５８に出力する。
【００９４】
上記構成を有する第２の実施の形態における処理を、図１０のフローチャートを用いて説明する。この図１０に示されるフローチャートの処理は、予め定められた切り替え条件として音声信号が示す音声レベルが極大となったときであることを切り替え条件としている。
【００９５】
また、このフローチャートの説明は、第１の実施の形態における処理（図３参照）と異なるステップについてのみ行うものとする。
【００９６】
第１の実施の形態における処理との違いは、音声を出力すること（ステップＳ６０２：音楽再生手段に対応）と、その音声レベルが極大値かどうか判断して（ステップＳ６０９）、画像を切り替えることのみである。
【００９７】
従って、第２の実施の形態において重要な点は、少なくとも規定時間ａ、または規定時間ａよりも短い規定時間ｂだけ画像は必ず表示されることである。すなわち、例えばドラムの音声レベルが連続して極大値となったとしても、そのタイミングで表示された画像は少なくとも規定時間ａ、または規定時間ａよりも短い規定時間ｂの間は表示されるので、見る間もなく切り替わるという従来からの課題を解決することができる。
【００９８】
また、上述したステップ以外のステップが全て第１の実施形態におけるステップと同じであることから、表示時間設定処理（ステップＳ６０５）に対応する処理の説明で記述した適切なタイミングで画像を切り替えることができるという効果も第２の実施の形態で得られることは言うまでもない。
【００９９】
なお、音楽を用いる場合、上述した切り替え条件に代えて、例えば極大値と極大値の間隔時間の平均値を再生中に逐次求めていき、その平均値と大幅に異なる間隔時間が得られたことを切り替え条件とするようにしても良い。
【図面の簡単な説明】
【０１００】
【図１】第１の形態に係るデジタルカメラの外観上の構成を示す図である。
【図２】第１の形態に係るデジタルカメラの電気系の構成を示す図である。
【図３】第１の実施の形態における処理を示すフローチャートである。
【図４】種類抽出処理を示すフローチャートである。
【図５】登録データベースの構造を示す図である。
【図６】表示時間設定処理を示すフローチャートである（その１）。
【図７】表示時間設定処理を示すフローチャートである（その２）。
【図８】表示時間設定処理を示すフローチャートである（その３）。
【図９】第２の形態に係るデジタルカメラの電気系の構成を示す図である。
【図１０】第２の実施の形態における処理を示すフローチャートである。
【符号の説明】
【０１０１】
１０  デジタルカメラ
４６  メモリインタフェース
４８  メモリ
５０  外部メモリインタフェース
５２  メモリカード
５４  圧縮・伸張処理回路
５８  スピーカ
６０  音声出力インタフェース
【図１】
2007174278.tif 000003
【図２】
2007174278.tif 000004
【図３】
2007174278.tif 000005
【図４】
2007174278.tif 000006
【図５】
2007174278.tif 000007
【図６】
2007174278.tif 000008
【図７】
2007174278.tif 000009
【図８】
2007174278.tif 000010
【図９】
2007174278.tif 000011
【図１０】
2007174278.tif 000012